(57)【要約】【目的】家から道路へ出る時の出入口の安全性を高めるためのものである。【構成】出入口に出入口注意灯１を、道路を通過する車の運転手から確認できる適当な位置に取り付ける。そのスイッチは出入口より少し中に入った所に取り付ける。スイッチと連動するタイマーも組み込んで、それらがスイッチが入りタイマーが作動し出入口注意灯１が点灯や点滅をする装置を設ける。出入口注意灯１が点灯や点滅をすることで、車の運転者は早やめに安全な対応がとれる。スイッチは押しボタンスイッチ２やセンサースイッチ５、６やリモコンスイッチで単独使用や併用も出来る。出入口投光ライト７を設けて、夜間の出入口を出る時に照明がつくと出る人や車が、はっきりと確認し易くなる。見透視の悪い出入口があっても出入口注意灯１を設けることで、初めて走る運転者でもそこに出入口があることを早めに認識できる。【選択図】      図１
2004252915.tif 000002
【特許請求の範囲】
【請求項１】
出入口注意灯１と押しボタンスイッチ２とタイマー３とそれらを作用させる回路を設け、出入口を出るときに必要時間、出入口注意灯１が点灯や点滅する装置。
【請求項２】
請求項１に音声発生装置４を設けて、押しボタンスイッチ２を押すとメッセージの音声を流せる装置。
【請求項３】
請求項２の押しボタンスイッチ２を取り付け高さを変えて子供用押しボタンスイッチと大人用押しボタンスイッチを設けたりして、押しボタンスイッチの数を増やしスイッチによっていろいろのメッセージを変えられる装置。
【請求項４】
出入口注意灯１と出側センサースイッチ５と入側センサースイッチ６と各センサーに対応させたタイマーを設け、どちらかのセンサースイッチが先に入ったら、そのタイマーにセットされた時間の間、他方のセンサースイッチの作用より優先する回路を設けて、出側センサースイッチ５のタイマーに接続された出入口注意灯１が出入口を出る時だけ自動的にスイッチが入り点灯や点滅する装置。
【請求項５】
出入口注意灯１とタイマー３とリモコンスイッチとそれらを作用させる回路を設け、車等からリモコンでスイッチが入る装置。
【請求項６】
請求項４に押しボタンスイッチ２を付加した装置。
【請求項７】
請求項５に押しボタンスイッチ２を付加した装置。
【請求項８】
請求項１や請求項４や請求項５に出入口投光ライト７を付加して、夜間にスイッチが入ると出入口投光ライト７も点灯する装置。
【請求項９】
請求項４の入側センサースイッチ６の回路を利用して自動的にチャイムを鳴らせたり、夜間は出入口から玄関までの照明灯や玄関灯１０を点灯させる装置。
【請求項１０】
出入口注意灯１は、出入口や注意の文字やマークが書かれた出入口注意灯本体１５が点灯したり、点滅をする構造のもの。また夜間は、常夜灯にもなるように点灯できる構造のもの。
【請求項１１】
出入口注意灯１は、出入口や注意の文字やマークが書かれた出入口注意灯本体１５に、上側注意灯点灯点滅部１６や下側注意灯点灯点滅部１７を設けたもの。
【請求項１２】
出入口注意灯１は、側面に出入口や注意の文字やマークを書いて、正面は表札として利用できる構造にしたもの。
【請求項１３】
出入口注意灯１の上側注意灯点灯点滅部１６や下側注意灯点灯点滅部１７に遮光板１８を設けたり、または発光ダイオードの基盤を用いて遮光する構造のもの。
【請求項１４】
出入口注意灯１の上側注意灯点灯点滅部１６や下側注意灯点灯点滅部１７にカラー電球を取り付けたり、または光を通過させるカラー板２０を設けたもの。
【発明の詳細な説明】
【０００１】
【産業上の利用分野】
この発明は家から道路へ出る時の出入口の安全性を高めるためのものである。
【０００２】
【従来の技術】
現在の車社会では、歩行するにも運転するにも細心の注意をはらい、安全を確かめながらの毎日を過ごしていますが、一瞬の注意も怠れません。そして小さな子供や老人は、どうしてもその場その時の判断のミスや遅れが出やすく危険が増します。そのような現状のなかで、家から道路への出入口で見透視が悪く、その上に道路が狭いと、特に危険が高くなります。
歩道の無い道路で家の出入口を一歩出たら、目の前を車がすれすれに通過したり、車を運転しているときに狭い道路で対向車が来ると道路左側ぎりぎりを走るようになり、見透視の悪い家の出入口があると、注意していても何時、人や車が出てくるか、ひやひやしながらの運転になることもあります。また、どんなに注意をしたとしても絶対安全ということはありません。
【０００３】
【発明が解決しようとする課題】
見透視が悪く歩道の無い家の出入口を出る場合に、人や車も道路を通過する車も、いつも危険にさらされている。もし万が一に事故ということになったら当事者の怪我の治療や物損の補償等で双方が多大な損害をこうむる。怪我も完治すればまだ救われるが、怪我によって不随などということになれば、その人の一生を狂わせてしまう。そのような危険箇所の安全を少しでも改善させることである。
【０００４】
【課題を解決するための手段】
図１は家の出入口と道路で、出入口注意灯１を通行車両から確認出来る位置に取り付ける。押しボタンスイッチ２は、出入口より少し奥に入ったところに取り付ける。押しボタンスイッチ２は使いやすいように子供用と大人用に別にすることも出来る。タイマー３は簡単にタイマー設定出来る位置に取り付ける。タイマー３のセットは出入口を出る人や車がゆっくり安全を確かめて出て行ける時間を目安にセットしておく。
センサースイッチを使う場合は、押しボタンスイッチ２に替えて出側センサースイッチ５と入側センサースイッチ６を設て、タイマーも効くようにする。そして出側センサースイッチ５と入側センサースイッチ６のどちらかのセンサースイッチが先に入ったら、そのタイマーにセットされた時間の間、他方のセンサースイッチの作用より優先させるようにする。タイマーのセット時間は出側センサースイッチ５の方が出入口で安全を確かめてゆっくり出て行ける時間をセットし、入側センサースイッチ６の方が出入口を入って出側センサースイッチ５のセンサー範囲より外れる所迄行ってしまう時間をセットする。
リモコンスイッチを使う場合は、押しボタンスイッチ２に替えてリモコンスイッチ受信部を取り付ける。
複数のスイッチを利用するときは、その必要数を組み込んで取り付ける。その外の機能の音声発生装置４、天気予報装置、時計、時報装置等は必要に応じて組み込み、出入口投光ライト７、モニターテレビ、チャイム、出入口から玄関１１までの照明灯、玄関灯１０等も必要に応じて都合の良い位置に取り付ける。またそれらを作用させる回路の電装品は押しボタンスイッチ２と一緒のケースにしてもよいし、じゃまになる大きさならスイッチ部を必要部品のみのケースにして、別にコントロールボックスを設けて取り付ける。出入口投光ライト７は出入口の照明になるような位置に設置する。
出入口注意灯１は、出入口や注意の文字やマーク等などを表記して、そこに出入口があることを認識できる出入口注意灯本体１５を設けて点灯や点滅をさせる構造のものや、また出入口注意灯本体１５の上側や下側に点灯や点滅させる部分、上側注意灯点灯点滅部１６や下側注意灯点灯点滅部１７を設けて注意を促すことが出来るようにした構造のもの。その注意灯点灯点滅部１６、１７には遮光板１８やカラー板２０を設けたりする。また表札にしたり、夜間は常夜灯になるように点灯出来る。
【０００５】
【作用】
出入口を出る人が押しボタンスイッチ２を押すと、出入口注意灯１がタイマー３にセットされた時間だけ点灯したり点滅をする。音声発生装置４の機能を付加すれば、押しボタンスイッチ２の子供用を押すと音声発生装置４からは「車にはよく注意していってらっしゃい」また「知らない人には気をつけていってらっしゃい」や時報を入れて「今は何時何分よ、気をつけていってらっしゃい」等のメッセージを流せるし、大人用を押すと「いってらっしやいませ、何時何分です」とか、天気予報情報などを取り入れて「今日の午後は雨模様になります」等のメッセージを流したり、お母さんや奥さんの録音したメッセージにしたり出来る。
センサースイッチで出入口注意灯１を作用させるときは、出入口を出るときは出側センサースイッチ５のスイッチが入り、出入口注意灯１がタイマーにセットされた時間だけ点灯や点滅をし、出入口を入るときは入側センサースイッチ６のスイッチが入りタイマーがセットされている間は出側センサースイッチ５より優先するので出入口注意灯１は点灯せず、出入口を出るときだけ、自動的に出入口注意灯１が点灯や点滅ができる。
リモコンスイッチで出入口注意灯１を作用させるときは、リモコンスイッチで車内等よりスイッチを入れられて、出入口注意灯１が点灯や点滅をする。
出入口投光ライト７を付加して夜間のみの点灯にセットすれば、夜間に出入口を出るときに、スイッチが入ると出入口投光ライト７も点灯する。
それから入側センサースイッチ６を利用して出入口を入ると、自動的にチャイムが鳴ったり、モニターテレビが映ったり、また夜間には出入口から玄関１１までの照明灯が点灯したり、玄関灯１０も点灯することができる。
【０００６】
【実施例】
幼稚園や老人ホームに設置しても、出入口の安全性を良くする。また車の出入りの激しい出入口でも活用できる。
【０００７】
【発明の効果】
見透視の悪い出入口から道路に出る場合に道路より手前の位置にある押しボタンスイッチ２を押してから道路に行くことで、出入口注意灯１が点灯してから数秒が過ぎてから道路に出ることになる。道路を走っている車の運転者は出入口注意灯１の点灯を認識して人や車が出てくることを察知できれば、実際に人や車を確認する数秒前にその出てくる人や車に対応することが出来る。目前で人や車を見てから危険を避ける対応をするのと、実際に見える数秒前に、その時の状況を見て多様の判断の中から最善の対応を取れるのとでは、格段に安全性が良くなる。また小さな子供は押しボタンスイッチ２を出入口の手前で押してから出て行く習慣になれば、直接出入口に飛び出して行く事が無くなり、そして出入口で交通安全等の注意メッセージを聞いて出掛けるので交通安全の意識も高くなり、小さな子供の事故の減少にもつながります。
また道路を走る自転車も、車を避けて走ると道路の左側いっぱいに走るようになり、家の出入口前をぎりぎりに無音で走りすぎるため、出入口を出る人は自転車の来るのに気付きにくく、特に老人の場合は目や耳や体が衰えてくると、気付くことも対応することも難しくなります。自転車に乗っている人も道路左側を走っているため、出入口から出てきた人や車を直前で避けることは大変で、その時道路側へ危険を避ければ、後から来る車にも危険を生じる。自転車に乗っている人も事前に出てくる事が判れば、より安全な対応が出来る。
日中に逆光で出入口注意灯１を見るときは見ずらいし、注意灯点灯点滅部１６、１７の中を逆光が通過すると注意灯が点灯や点滅をしても確認がしずらいので、発光ダイオードを使用して基盤で遮光したり、遮光板１８を設けて、点灯や点滅をはっきりさせれば確認も楽になる。またカラー電球を使用したり、カラー板２０を設けて着色光にすることで、より一層確認し易くなる。
夜間の出入口から出る時に、道路を走っている自転車や車から出入口注意灯１の点灯を確認しても、出入口が暗かったり、対向車が来れば対向車のライトによって見ずらいし、自分の車のライトを上向きにも出来ず出入口注意灯１だけではまだ危険が少なくありません。そのうえに雨が降っていたら、自分の車のライトが点いているか心配なくらい前方が見ずらくなってしまいます。そこで出入口に出入口投光ライト７が点灯することによって、運転者は明るく照らされた出入口から出てくる人や車を的確に認識でき、夜間の出入口の安全もより一層改善される。
出入口注意灯１を、夜間は常夜灯になるように点灯すれば、夜間でも出入口の確認が容易になります。
家の中に居ても、チャイムやモニターテレビ等で出入口を入って来たことがわかり、誰が来たかも判ればいろいろ用意や対応が出来る。
夜間の帰宅者や訪問者は入り口の照明灯や玄関灯が点灯するので、出入口から玄関まで安心して行ける。またチャイムや照明等などの作用により、不審者の侵入防止にもなる。
【図面の簡単な説明】
【図１】家から道路への出入口の図
【図２】出入口注意灯１の側面図のいろいろ（Ａ、Ｂ、Ｃ、Ｄ）
【図３】出入口注意灯１の正面図（ＥはＢの正面図、Ｆは表札としても利用のとき）
【図４】下側注意灯点灯点滅部１７の拡大図（上側注意灯点灯点滅部１６も同じ、Ｇは電球が１個、Ｈは電球が２個の場合）
【符号の説明】
１  出入口注意灯
２  押しボタンスイッチ
３  タイマー
４  音声発生装置
５  出側センサースイッチ
６  入側センサースイッチ
７  出入口投光ライト
８  支柱
９  家
１０  玄関灯
１１  玄関
１２  塀
１３  車
１４  道路
１５  出入口注意灯本体
１６  上側注意灯点灯点滅部
１７  下側注意灯点灯点滅部
１８  遮光板
１９  電球
２０  カラー板
２１  表札部
【図１】
2004252915.tif 000003
【図２】
2004252915.tif 000004
【図３】
2004252915.tif 000005
【図４】
2004252915.tif 000006